(57)【要約】【課題】カバー部材をフレーム部材に簡単に装着することができ、そのように簡単に装着されたカバー部材によって展示物を固定し得るようにした展示用具を提供する。【解決手段】フレーム部材３の内側縁に背板２を挟持する保持溝１４を形成すると共に、該保持溝１４よりも前側部位にスライド溝１６を形成し、該スライド溝１６はその開口部よりも底部が前側に位置するように傾斜状になっている。また、カバー部材４の一側にはフレーム部材３のスライド溝１６内を摺動する抑え片３３が延設されている。そして、カバー部材４は、その抑え片３３をフレーム部材３のスライド溝１６に嵌めることでフレーム部材３に装着されるようになっており、装着されたカバー部材４の抑え片３３の基端部側をフレーム部材３のスライド溝１６から進出させると該カバー部材４が展示物Ｔを背板２に抑え付けるようになっている。【選択図】図４
2015047351.tif 000002
【特許請求の範囲】
【請求項１】
シート状の展示物の背面を支持する背板の各辺を囲うようにして枠組みされるフレーム部材と、前記フレーム部材の前側に該フレーム部材を被覆するように装着され前記展示物を前面側から抑えるカバー部材とを備えた展示用具において、
前記フレーム部材には、その内側縁に前記背板を挟持する保持溝が形成されていると共に、該保持溝よりも前側部位にスライド溝が形成され、該スライド溝はその開口部よりも底部が前側に位置するように傾斜状に形成されており、前記カバー部材には、その一側に前記フレーム部材のスライド溝内を摺動する抑え片が延設されており、
前記カバー部材は、その抑え片を前記フレーム部材のスライド溝に嵌めることで前記フレーム部材に装着されるようになっており、装着されたカバー部材の抑え片の基端部側を前記フレーム部材のスライド溝から進出させると該カバー部材が前記展示物を前記背板に抑え付けるようになっていることを特徴とする展示用具。
【発明の詳細な説明】
【技術分野】
【０００１】
本発明は、印刷物や写真などのシート状の展示物を額装するための展示用具に関するものである。
【背景技術】
【０００２】
この種の展示用具として、背板を挟持する保持溝が形成されたフレーム部材を枠組みすると共に、そのフレーム部材にカバー部材を前方へ開閉自在に装着し、それらフレーム部材とカバー部材の間にカバー部材を開閉方向に付勢する板バネを設けたものが広く使用されている。そして、この種の展示用具を使用するにあたっては、カバー部材を板バネの付勢に抗して開放し、背板の前面に展示物を載置した後、カバー部材を閉じることで、カバー部材の開放側縁が展示物を背板側に抑え付けるようになっている。
【先行技術文献】
【特許文献】
【０００３】
【特許文献１】実用新案登録第３０８３５０７号公報
【特許文献２】特開２００５−３４５８００号公報
【発明の概要】
【発明が解決しようとする課題】
【０００４】
しかしながら、前記した展示用具は、カバー部材の開放側縁が展示物をしっかりと抑え付けられるように比較的付勢力の強い板バネを使用しているため、カバー部材を閉じようとすると、かなりの勢いでカバー部材が閉じようとする。そのため、使用者が使用する際、フレーム部材とカバー部材の間に指を挟んで怪我をするのではないかという恐怖感を与えてしまうという問題を有していた。また、カバー部材を閉じる時、カバー部材の開放側縁が背板にかなりの勢いで当たるため、その際に大きな音が発生し、やはり使用者に恐怖感や不快感を与えてしまっていた。さらに、前記した展示用具は、フレーム部材に対してカバー部材を開閉自在に装着するにあたり、フレーム部材及びカバー部材の双方にヒンジ機構を形成したり、板バネを装着する部位を形成することが必要なため、その分、製作コストが嵩むという問題も有していた。
【０００５】
そこで、本発明は、従来の展示用具に存在している上記問題を解決すべく、フレーム部材とカバー部材の間に板バネを設けることなく、しかも簡易な構成で、フレーム部材にカバー部材を装着することができ、また、カバー部材が展示物を背板に対してしっかりと抑え付けられるようにした展示用具を提供することを目的としている。
【課題を解決するための手段】
【０００６】
かかる目的を達成するため本発明に係る展示用具は、シート状の展示物の背面を支持する背板の各辺を囲うようにして枠組みされるフレーム部材と、前記フレーム部材の前側に該フレーム部材を被覆するように装着され前記展示物を前面側から抑えるカバー部材とを備えた展示用具において、前記フレーム部材には、その内側縁に前記背板を挟持する保持溝が形成されていると共に、該保持溝よりも前側部位にスライド溝が形成され、該スライド溝はその開口部よりも底部が前側に位置するように傾斜状に形成されており、前記カバー部材には、その一側に前記フレーム部材のスライド溝内を摺動する抑え片が延設されており、前記カバー部材は、その抑え片を前記フレーム部材のスライド溝に嵌めることで前記フレーム部材に装着されるようになっており、装着されたカバー部材の抑え片の基端部側を前記フレーム部材のスライド溝から進出させると該カバー部材が前記展示物を前記背板に抑え付けるようになっていることを特徴としている。なお、ここでいう「カバー部材が展示物を背板に抑え付けるようになっている」とは、カバー部材が展示物を直接背板に抑え付ける場合のみを意味しているわけではなく、例えば、展示物の前に配置される透明カバーなどを介して展示物が間接的に抑え付けられる場合も含まれる。
【発明の効果】
【０００７】
本発明に係る展示用具は、カバー部材をフレーム部材に装着するにあたり、カバー部材に設けられた抑え片をフレーム部材に設けられたスライド溝に挿入すれば足り、組み立て作業を簡易化することができる。また、この種の展示用具に用いられている板バネを使用することなく展示物を固定することができる。すなわち、本発明に係る展示用具は、フレーム部材に装着されたカバー部材を内側方向にスライドさせることで、カバー部材の抑え片によって展示物を背板側に抑え付けることができる。そのため、フレーム部材とカバー部材の開閉に板バネを用いた場合に起こる問題、例えば、カバー部材を閉止する際、指をフレーム部材とカバー部材の間に挟んでしまうのではないかという恐怖感や、カバー部材がフレーム部材に強く当たって発生する大きな音による不快感を解消することができる。
【図面の簡単な説明】
【０００８】
【図１】本発明に係る展示用具の外観斜視図
【図２】本発明に係る展示用具の角部の構造を示す斜視図
【図３】本発明に係る展示用具のフレーム部材とカバー部材の構造を示す部分拡大斜視図
【図４】本発明に係る展示用具のフレーム部材とカバー部材の構造を示す部分拡大断面図
【発明を実施するための形態】
【０００９】
以下、本発明に係る展示用具の実施の形態を図面に基づき説明する。図１は展示用具の外観斜視図、図２は展示用具の角部の構造を示す斜視図、図３は展示用具のフレーム部材とカバー部材の構造を示す部分拡大斜視図、図４は展示用具のフレーム部材とカバー部材の構造を示す部分拡大断面図である。図１に示すように、展示用具１は、矩形状の背板２の各辺を挟持する４つのフレーム部材３と、フレーム部材３の前側を覆うように装着される４つのカバー部材４と、フレーム部材３の角部に装着されて隣接するフレーム部材３，３同士を接続するための４つのコーナー部材５とによって概略構成されている。また、図４に示すＴは展示物、Ｃは合成樹脂製の透明カバーである。なお、展示用具１を説明するにあたり、特に断らない限り、「前」とは図１（ａ）を基準とした展示用具１の前側、「後」若しくは「背面」とは図１（ａ）の展示用具１を基準とした背面側、「内」とは展示用具１に対しての内側、「外」とは展示用具１に対しての外側を意味することとする。
【００１０】
前記フレーム部材３は、図１（ｂ）に示すように背板２の四辺を囲うように配設された長尺の部材であり、アルミニウム等の金属により成形されている。ここで、図４に基づいてフレーム部材３の断面形状について説明すると、フレーム部材３は背板２の背面側縁部を受ける基板部１０の外側（図４では上側）に該基板部１０と垂直をなす外側板部１１が設けられている。また、基板部１０の幅方向ほぼ中央部位には、背板２の側部を受ける受片１２が基板部１０と垂直状に突設されており、該受片１２の前端部（図４では右側）には内側に向かうように挟持片１３が延設されている。そして、これら基板部１０、受片１２及び挟持片１３によって背板２を挟持する断面コ字形の保持溝１４が形成されることになる。なお、保持溝１４の内法は、背板２の板厚と略同じ寸法に設定されている。さらに、外側板部１１の前端部（図４では右側）は、内側且つ後方（図４では下側且つ左側）へ傾斜状に折曲されていて第１摺動片１５ａが延設されている。また、外側板部１１の内側（図４では下側）であって、第１摺動片１５ａよりも後方（図４では左側）に第１摺動片１５ａと所定間隔を空けて第１摺動片１５ａと平行な第２摺動片１５ｂが突設されている。なお、第１摺動片１５ａの内側面には、２条の突条１７ａ，１７ｂが長手方向に沿うように設けられている。そして、これら第１摺動片１５ａ、第２摺動片１５ｂ及び外側板部１１によって、後述するカバー部材４の抑え片３３が挿入されるスライド溝１６が形成されることになる。このスライド溝１６は、その底部、すなわち第１摺動片１５ａと第２摺動片１５ｂに囲われた外側板部１１の内壁がスライド溝１６の開口部よりも前側（図４では右側）に位置する傾斜状になっている。さらに、第２摺動片１５ｂは、その内端部（図４では下側）が第１摺動片１５ａよりも若干長く延長されており、当該第２摺動片１５ｂの内端部が挟持片１３と接続されて当該接続部分が展示物Ｔ及び透明カバーＣの側縁を受ける当接部１８になっている。さらに、挟持片１３の外側、及び外側板部１１の内側に互いに対向する突片１９，１９が形成されている。なお、基板部１０の後方（図４では左側）には、展示用具１を壁面に取り付ける際に使用する吊具２０を係止させるための係止部２１が形成されている。もっとも、この係止部２１は、本発明に係る展示用具に必ず設けなければならないわけではなく、必要に応じて設ければ足りる。
【００１１】
前記カバー部材４は、フレーム部材３を被覆するように配設される長尺の部材であり、フレーム部材３と同様、アルミニウム等の金属により成形されている。ここで、図４に基づいてカバー部材４の断面形状について説明すると、カバー部材４は、外装板部３０と、該外装板部３０の前端部（図４では右側）から直角状に折曲する前装板部３１、該前装板部３１の内端部（図４では下側）から直角状に折曲する内装板部３２とによって断面コ字形に形成されており、さらに内装板部３２の後端部（図４では左側）は、外装板部３０と前装板部３１に向かうように傾斜状に折曲された抑え片３３が延設されている。また、該抑え片３３の前側面には、２条の凹溝３４ａ，３４ｂが長手方向に沿うように設けられている。なお、カバー部材４の外装板部３０と内装板部３２の表面には、長手方向に沿って滑り止め用の凹凸部３５ａ，３５ｂが形成されている。
【００１２】
前記コーナー部材５は、隣り合うフレーム部材３，３の端部を互いに連結するもので、図２に示すようにコーナー基板４０とコーナーカバー４１とによって形成されている。コーナー基板４０は、Ｌ型の金属板であって角部が円弧状になっており、その両側の直角方向にそれぞれ脚部４０ａ，４０ａが設けられている。また、脚部４０ａ，４０ａには、それぞれ２つずつ貫通状の螺子孔４０ｂ，４０ｂ・・・が穿設されている。一方、コーナーカバー４１は、合成樹脂により形成された平面視Ｌ型の部材で、その角部に前側に膨出する平面視扇形状のコーナー装飾部４１ａが設けられ、その両側の直角方向にそれぞれ脚部４１ｂ，４１ｂが設けられ、該脚部４１ｂ，４１ｂには、それぞれ２つずつ貫通状の螺子孔４１ｃ，４１ｃ・・・が穿設されている。また、脚部４１ｂ，４１ｂには、コーナー装飾部４１ａに隣接するように直方体形状のジョイント部４１ｄ，４１ｄがそれぞれ形成されている。
【００１３】
次に上記のように構成された展示用具１の組立方法及び使用方法について説明する。まず、４つのフレーム部材３及びカバー部材４を準備する。ここで、本実施形態に係る展示用具１は、矩形状に枠組みされるので、展示用具１の左右に配置されるフレーム部材３及びカバー部材４よりも上下に配置されるフレーム部材３及びカバー部材４の方が長いことになる。そこで、長さが合うフレーム部材３とカバー部材４とを予め対応させておく。そして、カバー部材４の抑え片３３をフレーム部材３のスライド溝１６に挿入する。この時、図３（ｂ）及び図４（ｂ）に示されているように、カバー部材４の抑え片３３の先端部がフレーム部材３のスライド溝１６の底部に到達するところまで挿入しておく。なお、この状態において、フレーム部材３のスライド溝１６の内側面に形成されている突条１７ａ，１７ｂがカバー部材４の抑え片３３の凹溝３４ａ，３４ｂに嵌まり込んで固定されるため、フレーム部材３は、この位置に留まることになる。次いで、カバー部材４が装着されたフレーム部材３を矩形状の背板２の４辺のそれぞれに嵌合させる。具体的には、フレーム部材３の保持溝１４を背板２のそれぞれの辺の側縁に嵌めてフレーム部材３を背板２に沿わせて矩形状に枠組みする。そして、フレーム部材３の四隅にコーナー部材５を装着する。これを図２に基づいて説明すると、まず、コーナー部材５の構成部材であるコーナーカバー４１の脚部４１ｂ，４１ｂを隣接するフレーム部材３の双方の基板部１０前側に沿わせるように挿入する。この時、コーナーカバー４１のジョイント部４１ｄがフレーム部材３の基板部１０前側とフレーム部材３の突片１９，１９の間に嵌合される。次に、コーナー部材５のもう１つの構成部材であるコーナー基板４０の脚部４０ｂ，４０ｂを隣接するフレーム部材３の双方の基板部１０後側に沿わせるように挿入すると共にコーナー基板４０をコーナーカバー４１に合致させる。そして、コーナー基板４０の４つの螺子孔４０ｂに基板部１０の背面側から螺子を挿通して螺着する。これで展示用具１の基本的な枠組みが完成する。さらに、展示用具１を実際に使用する場合は、図４（ａ）に示すように背板２の前面（図４では右側）に展示物Ｔを載置し、さらに展示物Ｔの前面に透明カバーＣを載置する。この時、展示物Ｔ及び透明カバーＣの側縁は、フレーム部材３の当接部１８に支持された状態になる。あとは、図４（ｂ）に示すように、カバー部材４を内側方向へ移動させれば、カバー部材４の抑え片３３の基端部がフレーム部材３のスライド溝１６から進出すると共に、該抑え片３３の基端部が透明カバーＣを抑え付け、同時に展示物Ｔも抑え付けられることになる。また、この時、フレーム部材３のスライド溝１６の内側面に形成されている突条１７ｂがカバー部材４の抑え片３３の凹溝３４ａに嵌まり込んで固定されるため、フレーム部材３は、この位置に留まることになり、抑え片３３による抑え付けが緩むことはない。
【００１４】
なお、前記実施の形態において、展示用具が矩形状に枠組みされる例を示したが、これに限られるわけではなく、正方形に枠組みされてもよく、また、四角形以外の多角形に枠組みされる場合でも本発明を適用することができる。さらに、前記実施形態では、フレーム部材のスライド溝にフレーム部材の抑え片を固定する手段として、フレーム部材のスライド溝の内側面に突条を形成し、カバー部材の抑え片に凹溝を設けた例を示したが、逆にフレーム部材のスライド溝の内側面に凹溝を形成し、カバー部材の抑え片に突条を設けてもよく、また、当該固定手段は、凹溝と突条以外の手段を採用することも可能である。
【００１５】
以上のとおり、本発明に係る展示用具によれば、カバー部材の抑え片をフレーム部材のスライド溝に挿入することでフレーム部材にカバー部材を簡単に装着することができる。また、本発明に係る展示用具を使用する場合、カバー部材を内側に移動させて、カバー部材の抑え片をフレーム部材のスライド溝から進出させれば、展示物を背板側に抑え付けてしっかりと固定することができる。
【符号の説明】
【００１６】
１        展示用具
２        背板
３        フレーム部材
４        カバー部材
１４      保持溝
１６      スライド溝
３３      抑え片
Ｔ        展示物
【図１】
2015047351.tif 000003
【図２】
2015047351.tif 000004
【図３】
2015047351.tif 000005
【図４】
2015047351.tif 000006